(57)【要約】【課題】ささら桁の上端を壁面に固定する作業を容易に行うことができ、且つ見映えの良いささら桁階段構造を得る。【解決手段】上端固定金具２０の壁固定片２１を壁面１３の所定位置に当ててビスで固定し、この壁面に固定された上端固定金具から突出する桁固定片２２をささら桁１４の内側面１４２に当て且つスリット挿入片２３をささら桁の水平スリット１４４に挿入することによりささら桁の上端を壁面に仮固定し、この仮固定されたささら桁の下端の床面固定位置を決めた後に、ささら桁を一旦取り外し、前記床面固定位置においてささら桁の下端を固定する下端固定金具３０を床面１３に固定し、一旦取り外したささら桁を固定済の上端固定金具および下端固定金具を介して壁面および床面にビスで固定する。ささら桁の上端には、上端固定金具の壁固定片を収容する凹部４０および桁固定片を収容する凹部４１が形成される。【選択図】図８
2014129704.tif 000002
【特許請求の範囲】
【請求項１】
階段のささら桁の上端を壁面に固定するための固定金具であって、壁面に固定される壁固定片と、ささら桁の側面に固定される桁固定片と、ささら桁の垂直上端面において内側面から外側面に向けて形成されたスリットに挿入されるスリット挿入片とが設けられることを特徴とする固定金具。
【請求項２】
壁面に固定される壁固定片とささら桁の側面に固定される桁固定片とが設けられる固定金具を介して上端が壁面に固定される階段のささら桁であって、その垂直上端面において内側面から外側面に向けて形成されたスリットに固定金具のスリット挿入片を挿入可能であることを特徴とするささら桁。
【請求項３】
ささら桁の垂直上端面にあらかじめ形成された壁固定片収容凹部に固定金具の壁固定片が収容される、請求項２記載のささら桁。
【請求項４】
請求項１記載の固定金具を用いて請求項２または３記載のささら桁の上端を壁面に固定してなる階段構造であって、固定金具の壁固定片を壁面の所定位置に当ててビスを打ち込むことにより固定金具が壁面に固定され、この壁面に固定された固定金具から突出するスリット挿入片がささら桁の水平スリットに挿入され、該固定金具から突出する桁固定片をささら桁の側面に当ててビスを打ち込むことによりささら桁が固定金具を介して壁面に固定されてなることを特徴とするささら桁階段構造。
【請求項５】
請求項１記載の固定金具を用いて請求項２または３記載のささら桁の上端を壁面に固定する階段施工方法であって、該固定金具の壁固定片を壁面の所定位置に当ててビスを打ち込むことにより該固定金具を壁面に固定し、この壁面に固定された固定金具から突出する桁固定片をささら桁の側面に当て且つスリット挿入片をささら桁のスリットに挿入することによりささら桁の上端を壁面に仮固定し、この仮固定されたささら桁の下端の床面固定位置を決めた後に、前記仮固定されたささら桁を一旦取り外し、前記床面固定位置においてささら桁の下端を固定する下端固定金具を床面に固定し、前記一旦取り外したささら桁の上端を壁面に固定した上端固定金具に本固定すると共にその下端を床面に固定した下端固定金具に固定することを特徴とするささら桁階段施工方法。
【発明の詳細な説明】
【技術分野】
【０００１】
本発明は、ささら桁の上端を壁面に固定するための固定金具、該固定金具と共に用いられるささら桁、該固定金具を用いたささら桁階段構造およびささら桁階段施工方法に関する。
【背景技術】
【０００２】
住宅等の建築物に施工される階段の一種として、蹴込板を省略し、床と壁の間に斜行状に設けられる左右一対のささら桁と、これらささら桁の上方に架設される複数の踏板とからなるもの（オープン型階段などと呼ばれるもの）がある。このような階段はシンプルでモダンな印象を与え、吹抜空間を有する開放的なリビングルームなどにマッチするデザイン性・インテリア性を有するものとして需要が高まっている。この種の階段の一例が特許文献１に示されており、ささら桁の上端を階上構造物に固定すると共に下端を階下構造物に固定してささら桁を施工している。ささら桁の上端を階上構造物に固定する接続金具５は、階上構造物の前面に固定される片と、ささら桁の上端に板厚を２分するように刻設したスリット４１に挿入される片とからＬ字形に形成され、ささら桁上端に設けたピンをスリット挿入片の上方に形成した切り欠き溝５２に嵌合させることで、ささら桁上端が階上構造物１に対して位置決めされる。ささら桁下端も同様にして階下構造物２に対して位置決めされる。
【先行技術文献】
【特許文献】
【０００３】
【特許文献１】特開平１０−２３８０４９号公報
【発明の概要】
【発明が解決しようとする課題】
【０００４】
特許文献１記載の従来技術で使用される接続金具５は、スリット挿入片はささら桁のスリット４１内に挿入されて隠蔽されるが、階上構造物１の前面および階下構造物２の上面に固定される片はささら桁の外側または内側に露出する（図２，図４）ので、見映えが悪い。
【０００５】
また、ささら桁の上端を階上構造物１に取り付ける際に、ささら桁上端に設けたピンを切り欠き５２に嵌合させるためには、一旦ささら桁上端をスリット挿入片の前方上縁よりも上方に持ち上げた後にピンを切り欠き５２に落とし込む必要がある。さらに、スリット挿入片を細いスリット４１に挿入する際に、前後方向の位置決めを行うためのガイドが存在しないので、特にささら桁上端について、現場の手作業でスリット４１をスリット挿入片の位置に合わせることが容易でない。これらにより、施工が困難である。
【０００６】
したがって、本発明が解決しようとする課題は、ささら桁の上端を壁面に固定する作業を容易に行うことができ、且つ見映えの良いささら桁階段構造を得ることである。
【課題を解決するための手段】
【０００７】
この課題を解決するため、請求項１に係る本発明は、階段のささら桁の上端を壁面に固定するための固定金具であって、壁面に固定される壁固定片と、ささら桁の側面に固定される桁固定片と、ささら桁の垂直上端面において内側面から外側面に向けて形成されたスリットに挿入されるスリット挿入片とが設けられることを特徴とする。
【０００８】
請求項２に係る本発明は、壁面に固定される壁固定片とさされ桁の内側面に固定される桁固定片とが設けられる固定金具を介して上端が壁面に固定される階段のささら桁であって、その垂直上端面において内側面から外側面に向けて形成されたスリットに固定金具のスリット挿入片を挿入可能であることを特徴とする。
【０００９】
請求項３に係る本発明は、請求項２記載のささら桁において、ささら桁の垂直上端面にあらかじめ形成された壁固定片収容凹部に固定金具の壁固定片が収容されることを特徴とする。
【００１０】
請求項４に係る本発明は、請求項１記載の固定金具を用いて請求項２または３記載のささら桁の上端を壁面に固定してなる階段構造であって、固定金具の壁固定片を壁面の所定位置に当ててビスを打ち込むことにより固定金具が壁面に固定され、この壁面に固定された固定金具から突出するスリット挿入片がささら桁の水平スリットに挿入され、該固定金具から突出する桁固定片をささら桁の側面に当ててビスを打ち込むことによりささら桁が固定金具を介して壁面に固定されてなることを特徴とする。
【００１１】
請求項５に係る本発明は、請求項１記載の固定金具を用いて請求項２または３記載のささら桁の上端を壁面に固定する階段施工方法であって、該固定金具の壁固定片を壁面の所定位置に当ててビスを打ち込むことにより該固定金具を壁面に固定し、この壁面に固定された固定金具から突出する桁固定片をささら桁の側面に当て且つスリット挿入片をささら桁のスリットに挿入することによりささら桁の上端を壁面に仮固定し、この仮固定されたささら桁の下端の床面固定位置を決めた後に、前記仮固定されたささら桁を一旦取り外し、前記床面固定位置においてささら桁の下端を固定する下端固定金具を床面に固定し、前記一旦取り外したささら桁の上端を壁面に固定した上端固定金具に本固定すると共にその下端を床面に固定した下端固定金具に固定することを特徴とする。
【発明の効果】
【００１２】
本発明によれば、ささら桁の上端を壁面に仮固定および本固定する際に、壁面の所定箇所に固定した固定金具から突出する桁固定片をささら桁上端の内側面（または桁固定片収容凹部）に当てることで左右方向の位置決めを行いつつ、スリット挿入片をささら桁上端の水平スリットに挿入していくことでささら桁の上端を壁面に取り付けることができるので、固定金具とささら桁をビスで固定しなくてもささら桁の取付位置を決めることができ、施工を容易に行うことができる効果がある。
【００１３】
また、固定金具の桁固定片はささら桁の内側面に固定され、壁固定片はささら桁の垂直上端面と壁面との間に挟み込まれて固定され、スリット挿入片はささら桁の板厚を貫通しない水平スリットに挿入されるので、ささら桁の外側面には固定金具および固定用のビスが露出せず、見映えの良い階段構造を得ることができる効果がある。
【図面の簡単な説明】
【００１４】
【図１】本発明の一実施形態によるささら桁階段構造（踏板は図示省略）の正面図である。
【図２】この階段構造においてささら桁の上端を壁面に固定するために用いる上端固定金具の正面図（ａ）、平面図（ｂ）および左側面図（ｃ）である。
【図３】この階段構造においてささら桁の下端を床面に固定するために用いる下端固定金具の正面図（ａ）、平面図（ｂ）および左側面図（ｃ）である。
【図４】ささら桁上端の正面図（ａ）、左側面図（ｂ）および右側面図（ｃ）である。
【図５】ささら桁上端の平面図（ｄ）、底面図（ｅ）および背面図（ｆ）である。
【図６】ささら桁下端の平面図（ａ）、正面図（ｂ）、左側面図（ｃ）および右側面図（ｄ）である。
【図７】ささら桁下端の底面図（ｅ）および背面図（ｆ）である。
【図８】階段の下方に壁面（壁下地）がある場合のささら桁施工を作業工程順（ａ）〜（ｃ）に示す説明図である。
【図９】図８（ｃ）に続いて行われる作業工程（ｄ）を示す説明図である。
【図１０】図９（ｄ）に続いて行われる作業工程（ｅ）〜（ｆ）を示す説明図である。
【図１１】階段の下方に壁面（壁下地）がない場合のささら桁施工を作業工程順（ａ）〜（ｃ）に示す説明図である。
【図１２】図１１（ｃ）に続いて行われる作業工程（ｅ）を示す説明図である。
【図１３】図１２（ｄ）に続いて行われる作業工程（ｅ）〜（ｆ）を示す説明図である。
【発明を実施するための形態】
【００１５】
以下、添付図面を参照して本発明の実施例について詳述する。
【実施例１】
【００１６】
図１は、本発明の一実施形態によるささら桁階段構造の正面図である。このささら桁階段構造１０は、下階（１階）の床面１１と上階（２階）の床面１２との間において床面１１と壁面１３の間に斜行状に設けられる左右一対のささら桁１４，１４と、これらささら桁１４，１４間に略水平に架設される複数の踏板１５（図１０（ｆ））とからなり、各ささら桁１４の上端が上端固定金具１０を介して壁面１３に固定され（図８（ｃ））、下端が下端固定金具２０を介して床面１１に固定される。なお、図１では、ささら桁の上端および下端の固定構造を分かりやすく示すために、上端固定金具および下端固定金具ならびにこれら金具に関連するビスが実線で示されているが、実際にはこれらはささら桁１４の背後または板厚内に隠れて正面視では見えない。
【００１７】
図２を参照して、ささら桁１４の垂直上端面１４１を壁面１３に固定するために用いる上端固定金具２０は、壁面１３に固定される壁固定片２１と、ささら桁１４の内側面１４２に固定される桁固定片２２と、ささら桁１４の水平スリット１４４（後述）に挿入されるスリット挿入片２３とを有する。壁固定片２１は正面視細長矩形の薄平板状であり、上端固定金具２０を壁面１３に固定するためのビス２４を挿通するビス穴（図示せず）を有する。桁固定片２２は、壁固定片２１の長手方向に延長する一側面から直角に折曲形成され、ささら桁１４の内側面１４２からビス２５を打ち込んでささら桁１４の上端を（壁面１３に固定された）上端固定金具２０に固定するためのビス穴（図示せず）を有する。スリット挿入片２３は、これら壁固定片２１および桁固定片２２に対して直交する。
【００１８】
図示実施形態では、桁固定片２２が壁固定片２１の長手方向略中間部からその下端を越えてさらに下方に若干突出する長さを有する略矩形状に形成されているが、このような寸法や形状は一例にすぎず、ささら桁１４に対して強固に固定でき且つ固定したときにささら桁１４の傾斜上面１４５から突出することなく内側面１４２の範囲内に収まるものであれば特に限定されない。たとえば、桁固定片２２の下端は壁固定片２１の下端と略同一レベルであっても良い。スリット挿入片２３は、桁固定片２２をささら桁１４上端の内側面１４２に固定したときにささら桁１４の水平スリット１４４に入り込むことができる位置に形成され、且つ、水平スリット１４４内に収まることができる平面寸法を有する。図示実施形態では、壁固定片２１の下端を直角に折り曲げてスリット挿入片２３を形成しているが、これは一例にすぎず、上記条件を満たす限りにおいて他の形状や位置関係を採用しても良い。
【００１９】
上端固定金具２０の材質は、強度などの物性の面からステンレス、アルミ、亜鉛メッキ鋼板、塗装鋼板、塗装メッキ鋼板、真鍮メッキ鋼板、鋳物などの金属製であることが好ましいが、これらに限定されるものではない。なお、図２に示す上端固定金具２０は正面視左側のささら桁１４について使用されるものであり、正面視右側のささら桁１４に使用する上端固定金具２０にはこれと左右対称の形状・構造を有するものが使用される（図１参照）。
【００２０】
図３を参照して、ささら桁１４の水平下端面１４６を床面１１に固定するために用いる下端固定金具３０は、床面１１に固定される床固定片３１と、その長手方向に延長する一側面から直角に折曲形成される桁固定片３２とを有するＬ字金具である。床固定片３１は、下端固定金具３０を床面１１に固定するためのビス３３を挿通するビス穴（図示せず）を有し、桁固定片３２は、ささら桁１４の内側面１４２からビス３４を打ち込んでささら桁１４の下端を（床面１１に固定された）下端固定金具３０に固定するためのビス穴（図示せず）を有する。壁固定用の上端固定金具２０と同様、下端固定金具３０の材質は、強度などの物性の面からステンレス、アルミ、亜鉛メッキ鋼板、塗装鋼板、塗装メッキ鋼板、真鍮メッキ鋼板、鋳物などの金属製であることが好ましいが、これらに限定されるものではない。下端固定金具３０については、同一形状・構成のものを左右のささら桁１４，１４に共用することができる（図１参照）。
【００２１】
図４および図５を参照して、ささら桁１４の上端の形状について説明する。ささら桁１４の垂直上端面１４１には、内側面１４２から、上端固定金具２０の壁固定片２１を収容するための凹部４０が形成されると共に、内側面１４２には、垂直上端面１４１に形成された凹部４０の底面から、上端固定金具２０の桁固定片２２を収容するための凹部４１が形成されている。凹部４０の位置、形状および寸法は上端固定金具２０における壁固定片２１の位置、形状および寸法に応じて形成されるが、図示実施形態では、ささら桁１４の垂直上端面１４１の全長にわたって内側面１４２から壁固定片２１の幅および厚さと略同一の幅および深さに切り欠くことによって凹部４０を形成している。凹部４１の位置、形状および寸法は上端固定金具２０における桁固定片２２の位置、形状および寸法に応じて形成される。さらに、凹部４１の底面から外側面１４３に向けて水平に延長する水平スリット１４４が形成されている。水平スリット１４４には前述のように上端固定金具２０のスリット挿入片２３が挿入されるので、その位置、形状および寸法は上端固定金具２０におけるスリット挿入片２３の位置、形状および寸法に応じて形成されるが、外側面１４３に開口することなくささら桁１４の板厚内に止まっている。
【００２２】
図６および図７を参照して、ささら桁１４の下端の形状について説明する。ささら桁１４の水平下端面１４６には、内側面１４２から、下端固定金具３０の床固定片３１を収容するための凹部４２が形成されると共に、内側面１４２には、水平下端面１４６に形成された凹部４２の底面から、下端固定金具３０の桁固定片３２を収容するための凹部４３が形成されている。凹部４２の位置、形状および寸法は下端固定金具３０における床固定片３１の位置、形状および寸法に応じて形成されるが、図６（ｂ）などから明らかなように、凹部４２の先端は外側面１４３に開口することなくささら桁１４の板厚内に止まっている。同様に、凹部４３の位置、形状および寸法は下端固定金具３０における桁固定片３２の位置、形状および寸法に応じて定められる。
【００２３】
このささら桁階段構造１０の施工について説明する。既述したようにささら桁１４は壁面１３と床面１１の間に斜行状に架け渡して施工されるが、階段の下方にも壁がある場合と、階段の下方には壁が形成されないオープン構造の場合とがある。前者の場合の階段施工が図８ないし図１０に示されている。壁面１３は、柱や梁などの構造躯体１６に壁下地材としての石膏ボード１７が施工され、その上にクロス張り仕上げ（図示省略）を施して構成されるが、この場合の壁面１３は、２階床面１２に突き当てて施工される上段框１８から１階床面１１まで連続して形成されている。
【００２４】
この壁面１３の上端に上端固定金具２０の壁固定片２１を当ててビス２４で固定する（図８（ａ），（ｂ））。上端固定金具２０の固定位置は、設計図から側方の壁面からの距離と１階床面１１からの高さを読み取り、現場で位置出しして決定する。図では１本のささら桁１４のみが示されているが、図１について既述したようにささら桁１４は左右一対で用いられるので、これら左右一対のささら桁１４，１４の各上端を固定するための上端固定金具２０，２０が、壁面１３上端の同じ高さ位置に所定の間隔で固定される。このようにして壁面１３に固定された上端固定金具２０は、桁固定片２２が各ささら桁１４の内側面１４２に当接する位置で壁面１３から前方に向けて突出し、スリット挿入片２３が各ささら桁１４の水平スリット１４４に挿入する位置で壁面１３から前方に向けて突出している。
【００２５】
次に、既述したように上端および下端が加工されたささら桁１４を準備し、壁面１３に固定された上端固定金具２０から突出しているスリット挿入片２３をささら桁１４上端の水平スリット１４４に差し込むと共に、同様に突出している桁固定片２２をささら桁１４の内側面１４２に形成された凹部４１に差し込んでいき、最後には上端固定金具２０の壁固定片２１がささら桁１４の垂直上端面１４１に形成された凹部４０の底面と壁面１３との間に挟み込まれた状態を得る（図８（ｂ），（ｃ））。この時点ではささら桁１４をビス固定しないが、水平スリット１４４が上端固定金具２０のスリット挿入片２３に挿入されているので、壁面１３に上端が仮固定された状態で保持されている。また、ささら桁１４の水平下端面１４６は１階床面１１に略当接している。
【００２６】
次に、下端固定金具３０の床固定片３１を、ささら桁１４の水平下端面１４６に形成された凹部４２の底面と１階床面１１との間に差し込んでいき、最後には下端固定金具３０の桁固定片３２がささら桁１４の内側面１４２に形成された凹部４３に完全に収容された状態を得る（図９（ｄ））。これによって下端固定金具３０の固定位置が決定されるので、この位置を床面１１に墨出ししておく。
【００２７】
次に、壁面１３に仮固定しておいたささら桁１４を一旦取り外し、床面１１に墨出しした位置に下端固定金具３０の床固定片３１を載置し、そのビス穴（図示せず）からビス３３を床に打ち込むことにより、下端固定金具３０を床面１１に固定する（図１０（ｅ））。前述のようにこの時点ではささら桁１４は壁面１３にビス固定されていないので、壁面１３から離す方向に移動させて、水平スリット１４４からスリット挿入片２３を引き抜くことによって、簡単に取り外すことができる。
【００２８】
次に、壁面１３の所定位置に固定された上端固定金具２０にささら桁１４の上端をビス２５で固定し、さらに、床面１１の所定位置に固定された下端固定金具３０にささら桁１４の下端をビス３４で固定する。ささら桁１４の上端の固定については、仮固定の際と同様にして上端固定金具２０に取り付けた後、桁固定片２２のビス穴（図示せず）からビス２５をささら桁１４の内側面１４２に打ち込むことにより固定することができ、ささら桁１４の下端の固定については、墨出しの際と同様にして下端固定金具３０に取り付けた後、桁固定片３２のビス穴（図示せず）からビス３４をささら桁１４の内側面１４２に打ち込むことにより固定することができる。
【００２９】
このようにして一対のささら桁１４，１４を所定間隔で壁面１３と床面１１との間に斜行状に架け渡して施工した後、各ささら桁１４の所定箇所に踏板固定金具１８を介して踏板１５を固定して、ささら桁階段構造１０の施工が完了する（図１０（ｆ））。
【００３０】
階段の下方に壁が形成されないオープン構造の場合の階段施工が図１１ないし図１３に示されている。壁面１３は、既述と同様に柱や梁などの構造躯体１６に壁下地材としての石膏ボード１７が施工され、その上にクロス張り仕上げ（図示省略）を施して構成されるが、この場合は構造躯体１６の下方は空間１９が形成されている。
【００３１】
この場合は、ささら桁１４の上端部を切り欠いて、垂直上端面１４１と水平上端面１４７とでＬ字形の切り欠き１４８を与えるように加工しておくことが好ましい（図１１（ｂ））。これにより、垂直上端面１４１を壁面１３に当接させると共に水平上端面１４７を壁下地の下面に当接させ、壁下地の下角部を切り欠き１４８に収容させた状態でささら桁１４の上端を固定することができるので、見映えの良い階段構造が得られる。このささら桁１４の上端形状に関連する施工以外は、階段の下方には壁が形成されない場合と同様にして施工することができる。要約すれば、壁面１３の上端に上端固定金具２０を位置決めしつつビス２４で固定し（図１１（ａ），（ｂ））、この壁面１３に固定された上端固定金具２０にささら桁１４の上端を位置決めし（図１１（ｂ），（ｃ））、この状態で下端固定金具３０をささら桁１４の下端に挿入して床面１１への固定位置を位置決め・墨出しし（図１２（ｄ））、仮固定しておいたささら桁１４を一旦取り外した後に、下端固定金具３０を床面１１の墨出ししておいた位置にビス３３で固定し（図１３（ｅ））、このようにして固定した上端固定金具２０および下端固定金具３０にささら桁１４の上端および下端をそれぞれビス２５，３４で固定することによって一対のささら桁１４，１４を施工した後、踏板固定金具１８を介して踏板１５を固定して、ささら桁階段構造１０の施工が完了する（図１３（ｆ））。
【００３２】
このようにして施工されるささら桁階段構造１０は、床面１１まで壁面１３が続く場合（図８〜図１０）も、そうでないオープン構造の場合（図１１〜図１３）のいずれであっても、ささら桁１４の上端を壁面１３に仮固定および本固定する際に、壁面１３の所定箇所に固定した上端固定金具２０から突出する桁固定片２２をささら桁１４上端の内側面１４２（または凹部４１）に当てることで左右方向の位置決めを行いつつ、スリット挿入片２３をささら桁１４上端の水平スリット１４４に挿入していくことでささら桁１４を取り付けることができるので、上端固定金具２０とささら桁１４をビスで固定しなくてもささら桁１４の取付位置を決めることができ、施工が容易である。
【００３３】
また、上端固定金具２０の桁固定片２２はささら桁１４の内側面１４２にビス固定され、壁固定片２１はささら桁１４の外側面１４３には達しない凹部４０に収容された状態で壁面１３に固定され、スリット挿入片２３はささら桁１４の板厚を貫通しない水平スリット１４４に挿入されるので、ささら桁１４の外側面１４３には上端固定金具２０およびビス２４，２５が露出せず、見映えの良い階段構造１０が得られる。
【００３４】
なお、図示実施形態によると、下端固定金具３０についても、ささら桁１４の内側面１４２および水平下端面１４６に形成された凹部４２，４３に収容された状態で固定されるので、ささら桁１４の外側面１４３には下端固定金具３０およびビス３３，３４が露出せず、見映えが良好である。
【００３５】
図示実施形態について本発明を詳述したが、本発明はこれに限定されるものではなく、特許請求の範囲に記載された発明の範囲内において任意に変更して実施することができる。たとえば、上端固定金具２０を壁面１３に固定するビス２４、ささら桁１４の上端を上端固定金具２０に固定するビス２５、下端固定金具３０を床面１１に固定するビス３３、およびささら桁１４の下端を下端固定金具３０に固定するビス３４は、いずれもその本数や種類を適宜に選択して用いることができる。これらのビスを挿通させるために上端固定金具２０の壁固定片２１および桁固定片２２、および下端固定金具３０の床固定片３１および桁固定片３２に形成されるビス穴の数や形状も特に限定されないが、ビスをビス孔から打ち込んだときにビスの頭部がこれら片の表面と面一になるように皿加工されていることが好ましい。
【００３６】
また、上端固定金具２０を構成する壁固定片２１、桁固定片２２およびスリット挿入片２３は互いに直交する配置関係にあれば良く、図示実施形態ではこれら３片が連結して一体になっているが、これらの間に隙間があっても良い。たとえば、壁固定片２１と桁固定片２２とは連結しているが、桁固定片２２とスリット挿入片２３との間には隙間があるような構成であっても良い。
【００３７】
また、図示実施形態では、ささら桁１４の内側面１４２に、上端固定金具２０の桁固定片２２を収める凹部４１が形成されると共に、下端固定金具３０の桁固定片３２を収める凹部４３が形成されているが、これら凹部４１，４３は本発明に必須ではない。ただし、これら凹部４１，４３を設けることにより、施工の際、壁面１３に固定した上端固定金具２０および床面１１に固定した下端固定金具３０にささら桁１４を嵌め込んでいくときに、ささら桁１４が上端固定金具２０を前後方向に確実に位置決めすることができ、上端固定金具２０の桁固定片２２および下端固定金具３０の桁固定片３２をささら桁内側面１４２にビス固定する作業を容易に行うことができるので、好ましい実施形態である。さらには、凹部４１に上端固定金具２０の桁固定片２２を収容したときに該桁固定片２２がささら桁内側面１４２と面一になり、同様に、凹部４３に下端固定金具３０の桁固定片３２を収容したときに該桁固定片３２がささら桁内側面１４２と面一になるので、階段の内側から見たときにも目立たず、見映えが良好になる利点がある。
【符号の説明】
【００３８】
１０  ささら桁階段構造
１１  下階（１階）の床面
１２  上階（２階）
１３  壁面
１４  ささら桁
１４１  垂直上端面
１４２  内側面
１４３  外側面
１４４  水平スリット
１４５  傾斜上面
１４６  水平下端面
１４７  水平上端面
１４８  切り欠き
１５  踏板
１６  構造躯体
１７  石膏ボード
１８  上段框
１９  空間
２０  上端固定金具（本発明の固定金具）
２１  壁固定片
２２  桁固定片
２３  スリット挿入片
２４  ビス
２５  ビス
３０  下端固定金具
３１  床固定片
３２  桁固定片
３３  ビス
３４  ビス
４０  ささら桁の凹部（上端固定金具の壁固定片を収める凹部）
４１  ささら桁の凹部（上端固定金具の桁固定片を収める凹部）
４２  ささら桁の凹部（下端固定金具の床固定片を収める凹部）
４３  ささら桁の凹部（下端固定金具の桁固定片を収める凹部）
【図１】
2014129704.tif 000003
【図２】
2014129704.tif 000004
【図３】
2014129704.tif 000005
【図４】
2014129704.tif 000006
【図５】
2014129704.tif 000007
【図６】
2014129704.tif 000008
【図７】
2014129704.tif 000009
【図８】
2014129704.tif 000010
【図９】
2014129704.tif 000011
【図１０】
2014129704.tif 000012
【図１１】
2014129704.tif 000013
【図１２】
2014129704.tif 000014
【図１３】
2014129704.tif 000015